(57)【要約】【課題】リサイクルが容易な一般の透明ペットボトルをビール容器として使用することのできるシュリンクラベル及びこれを用いたリサイクル可能で安価なビール用ペットボトルを提供すること。【解決手段】ビールを収容する透明ペットボトルの表面に密着されるシュリンクラベル２であって、フィルム基材２１の少なくとも一面全面に、遮光性を有する着色印刷層２２を有していることを特徴とするシュリンクラベル。着色印刷層２２は、茶褐色、緑色、青色又は黒色であることが好ましい。【選択図】      図１
2007015747.tif 000002
【特許請求の範囲】
【請求項１】
ビールを収容する透明ペットボトルの表面に密着されるシュリンクラベルであって、フィルム基材の少なくとも一面全面に、遮光性を有する着色印刷層を有していることを特徴とするシュリンクラベル。
【請求項２】
前記着色印刷層は、茶褐色、緑色、青色又は黒色であることを特徴とする請求項１記載のシュリンクラベル。
【請求項３】
請求項１又は２記載のシュリンクラベルを、透明ペットボトルの少なくとも胴部外表面に密着させてなることを特徴とするビール用ペットボトル。
【発明の詳細な説明】
【技術分野】
【０００１】
本発明は、シュリンクラベル及びビール用ペットボトルに関し、詳しくは、リサイクルが容易な一般の透明ペットボトルをビール容器として使用することのできるシュリンクラベル及びこれを用いたビール用ペットボトルに関する。
【背景技術】
【０００２】
近年、特に清涼飲料水等の飲用食品の分野では、軽量で耐衝撃性、耐食性、透明性に優れ、安価であるといった数々の利点を有することから、従来のガラス瓶や缶に代わってＰＥＴ（ポリエチレンテレフタレート）製のペットボトルの使用が主流になってきており、これに伴ってペットボトルのリサイクル化事業も盛んに進められている。
【０００３】
このような背景から、それまではガラス瓶や缶が一般的であったビール容器にもペットボトルを使用しようとする試みがなされている。例えば、通常のペットボトルは高い透明性を有していることから太陽光の透過率が高く、ビールが化学変化を起こしてビールの最大の特徴でもある香味を損なうおそれがあるため、ＰＥＴ樹脂中に顔料等の充填剤を混入することでペットボトル自体を着色して不透明化することが考えられている（特許文献１の段落００３０）。
【０００４】
しかし、樹脂中に顔料等を混入することにより不透明化されたペットボトルは、通常の透明ペットボトルのようなリサイクル化が不可能であり、廃棄品として処分せざるを得ないことから環境対策上問題となる。
【特許文献１】特開２００１−４８１８２号公報の段落００３０
【発明の開示】
【発明が解決しようとする課題】
【０００５】
そこで、本発明は、リサイクルが容易な一般の透明ペットボトルをビール容器として使用することのできるシュリンクラベル及びこれを用いたリサイクル可能で安価なビール用ペットボトルを提供することを課題とする。
【０００６】
本発明の他の課題は、以下の記載により明らかとなる。
【課題を解決するための手段】
【０００７】
上記課題は、以下の各発明によって解決される。
【０００８】
（請求項１）
ビールを収容する透明ペットボトルの表面に密着されるシュリンクラベルであって、フィルム基材の少なくとも一面全面に、遮光性を有する着色印刷層を有していることを特徴とするシュリンクラベル。
【０００９】
（請求項２）
前記着色印刷層は、茶褐色、緑色、青色又は黒色であることを特徴とする請求項１記載のシュリンクラベル。
【００１０】
（請求項３）
請求項１又は２記載のシュリンクラベルを、透明ペットボトルの少なくとも胴部外表面に密着させてなることを特徴とするビール用ペットボトル。
【発明の効果】
【００１１】
本発明によれば、リサイクルが容易な一般の透明ペットボトルをビール容器として使用することのできるシュリンクラベル及びこれを用いたリサイクル可能で安価なビール用ペットボトルを提供することができる。
【発明を実施するための最良の形態】
【００１２】
以下、本発明の実施の形態について図面を用いて説明する。
【００１３】
図１は本発明に係るビール用ペットボトルの一部断面で示す正面図である。図中、１はペットボトル本体、２は該ペットボトル本体１の外表面に密着されたシュリンクラベルである。
【００１４】
ペットボトル本体１は、飲料用ペットボトルとして一般的に使用されている透明ペットボトルからなり、通常のリサイクル手段によってリサイクル可能とされるものが使用できる。
【００１５】
シュリンクラベル２は、通常、ペットボトル本体１の胴部１１の最大径よりも大径に形成された円筒状の熱収縮性プラスチックフィルムからなり、ペットボトル本体１に被せた後、加熱して熱収縮させることによりペットボトル本体１の外表面に密着されている。
【００１６】
シュリンクラベル２に使用できるプラスチックフィルムとしては、ポリエチレンテレフタレートやポリブチレンテレフタレート等のポリエステルフィルム、ポリエチレンやポリプロピレン等のポリオレフィンフィルム等を基材とする延伸加工された熱収縮性を有するプラスチックフィルムが挙げられる。
【００１７】
シュリンクラベル２には、図２に示すように、シュリンクラベル２を構成するフィルム基材２１の少なくとも一面全面に着色印刷層２２が形成されている。着色印刷層２２は、フレキソ印刷、グラビア印刷等の適宜の印刷手段によって、フィルム基材２１の少なくとも一面全面に遮光性を有するインキが塗工されることにより形成されている。シュリンクラベル２は、この着色印刷層２２が印刷されていることにより遮光性を有しており、ペットボトル本体１に収容されるビールを光から保護して品質維持を図るようになっている。
【００１８】
着色印刷層２２の色は、シュリンクラベル２に遮光性を付与することができるものであれば特に限定されないが、一般のビール瓶と同様の茶褐色とすれば、ビール容器としてのイメージを損なわないために好ましい。例えばマンセル値で９ＹＲ５．２／２．０のインキを用いて印刷すると、ビール瓶に類似したアンバー色とすることができる。その他、緑色、青色、黒色とすることも好ましい。
【００１９】
本発明において、シュリンクラベルにより遮光性が付与されたと言えるためには、好ましくは５４０ｎｍ以下の光線を実質的にカットすることである。
【００２０】
フィルム基材２１は、透明フィルム、半透明フィルム、不透明フィルムのいずれを用いることもできるが、半透明フィルムや不透明フィルムを用いる場合、シュリンクフィルム２をペットボトル本体１の外表面に密着させた際に着色印刷層２２が外側になるようにすることが好ましい。
【００２１】
透明フィルムを用いる場合、着色印刷層２２は表裏どちらでもよいが、一般には裏側、すなわち、シュリンクフィルム２をペットボトル本体１の外表面に密着させた際に着色印刷層２２がペットボトル本体１に接する内側になるようにする。
【００２２】
シュリンクラベル２には、ビールの酸化劣化及び炭酸ガスの逃散を防止するため、ガスバリヤー性が付与されていることが好ましい。一般にＰＥＴはガス透過性を有しているため、ペットボトル本体１のガス透過をシュリンクラベル２によって阻止することができる。
【００２３】
また、シュリンクラベル２には、着色印刷層２２以外に文字、図柄等の適宜の印刷層２３を設けることができる。図２に示す印刷層２３は、フィルム基材２１の着色印刷層２２とは反対面に形成されているが、フィルム基材２１が透明又は半透明フィルムであり、着色印刷層２２側がペットボトル本体１に接するようにシュリンクラベル２を密着させる場合は、図３に示すように、フィルム基材２１の一面に印刷層２３を形成した後、更にその印刷層２３の上から全面に着色印刷層２２を形成することも好ましい。
【００２４】
更に、図４に示すように、着色印刷層２２の更に上から別の印刷層２４を設けることで、シュリンクラベル２の両面に印刷層２３、２４がそれぞれ視認可能な構成にすることも好ましい。この場合は、例えば印刷層２４側がペットボトル本体１に接するようにシュリンクラベル２を密着させるようにすれば、印刷層２４が外部から視認できなくなるので、この印刷層２４をクーポン券やスピードくじ等の消費者にとって有用な情報面とすることで、消費者が楽しみながら自発的にシュリンクラベル２をペットボトル本体１から剥離できるようにしてゴミの分別を自然と促すことができる。
【００２５】
シュリンクラベル２は、ペットボトル本体１の少なくとも胴部１１の外表面に密着されることが必要であるが、ペットボトル本体１のネック部１２の外表面をも被覆するように密着されることが、ビールの品質保持の観点から好ましい。
【００２６】
また、本発明に係るシュリンクラベル２には、廃棄時のペットボトル本体１からの剥離を容易にするため、適宜の位置に、ペットボトル本体１の高さ方向に沿ってミシン目２５が形成されていることが好ましい。ミシン目２５は、フィルム２１に極く細い切線状に形成されるため、孔状に形成されるものと異なり、光をほとんど透過させないので、ビールの品質を低下させるおそれがない。
【００２７】
シュリンクラベル２は、図５に示すように、ペットボトル本体１の底部に対応するシュリンクラベル２の底部２６が閉塞されていることも好ましい。底部からの光の侵入も阻止できるため、ビールの品質保持機能を向上させることができる。この場合、シュリンクラベル２は、底部２６を有する袋状に形成した後、ペットボトル本体１を該底部２６を有する袋状のシュリンクラベル２に挿入し、加熱収縮させることによってペットボトル本体１の外表面に密着させる。
【００２８】
また、図５に示すように、ペットボトル本体１にビールを収容し、キャップ３によって閉栓した後に、キャップ３の外表面にもシュリンク包装４を密着させるようにしてもよい。このシュリンク包装４も、シュリンクラベル２と同様に少なくとも一面全面が遮光性を有する着色印刷層とすれば、よりビールの品質保持機能を向上させることができる。
【００２９】
一般に、透明ペットボトルは、光透過性が高いためにビール容器としては全く不向きな存在であるが、本発明のシュリンクラベル２及びこれを用いたビール用ペットボトルによれば、シュリンクラベル２によってビール用容器に必要な機能を付与することができるため、リサイクル可能な通常のペットボトルをそのまま使用することができ、シュリンクラベル２を剥離してしまえばペットボトルのリサイクル性を全く損なうことがなく、また、ビール専用のペットボトルの製造ラインを構築する必要もないので、安価で環境にやさしいビール用ペットボトルとすることができる。
【００３０】
また、シュリンクラベル２に商品名や商標等を直接印刷できるので、これらを紙等のラベルに別途印刷したもの貼着する必要がなく、シュリンクラベル２をペットボトル本体１から剥離してしまえばペットボトル本体１には何も残らないため、リサイクル時に従来のガラス製ビール瓶の場合のようなラベルを剥離するための工程を必要とせず、リサイクル化も容易である。
【図面の簡単な説明】
【００３１】
【図１】本発明に係るビール用ペットボトルの一部断面で示す正面図
【図２】シュリンクラベルの断面図
【図３】シュリンクラベルの断面図
【図４】シュリンクラベルの断面図
【図５】本発明に係るビール用ペットボトルの他の態様を一部断面で示す正面図
【符号の説明】
【００３２】
１：ペットボトル本体
１１：胴部
１２：ネック部
２：シュリンクラベル
２１：フィルム基材
２２：着色層
２３、２４：印刷層
２５：ミシン目
２６：底部
３：キャップ
４：シュリンク包装
【図１】
2007015747.tif 000003
【図２】
2007015747.tif 000004
【図３】
2007015747.tif 000005
【図４】
2007015747.tif 000006
【図５】
2007015747.tif 000007